(57)【特許請求の範囲】
【請求項１】
入力された音声信号に対して音響処理を施す第１プロセッサと、前記音声信号に対して音響処理を施す第２プロセッサと、前記第１プロセッサに音響処理のデータ設定指令を出力する第１制御手段と、前記第１制御手段と通信回線を介して接続され前記第１制御手段による音響処理に関する情報を取得し前記第２プロセッサに音響処理のデータ設定指令を出力する第２制御手段と、前記第１プロセッサの出力または前記第２プロセッサの出力を選択し音響処理された音声信号を出力するスイッチ手段とを備えたことを特徴とする２重化音響システム。
【請求項２】
前記第１プロセッサと前記第１制御手段との間の接続および前記第２プロセッサと前記第２制御手段との間の接続を、前記第１プロセッサと前記第２制御手段との間の接続および前記第２プロセッサと前記第１制御手段との間の接続に切り替える切替手段を備えたことを特徴とする請求項１に記載の２重化音響システム。
【請求項３】
前記切替手段に対して切替指令を出力する手動スイッチを設けたことを特徴とする請求項２に記載の２重化音響システム。
【請求項４】
前記第１プロセッサは電源オフになったとき前記切替手段に対して切替指令を出力する手段を備えたことを特徴とする請求項２または請求項３に記載の２重化音響システム。
【請求項５】
前記切替手段は、接続切替が発生したとき前記第１制御手段に接続切替を通知する手段を備えたことを特徴とする請求項２乃至請求項４のいずれかに記載の２重化音響システム。
【請求項６】
前記切替手段による接続切替を行うとき、前記第１制御手段が出力している最新の前記データ設定指令を前記第２制御手段が前記通信回線を介して取得し出力し、前記第１プロセッサのデータ設定と前記第２プロセッサのデータ設定とを同一にした後に前記接続切替を行わせる手段を備えたことを特徴とする請求項２乃至請求項５のいずれかに記載の２重化音響システム。
【請求項７】
前記第１制御手段は、前記データ設定指令を出力している先が前記第１プロセッサなのか前記第２プロセッサなのかを表示するモニタを備えたことを特徴とする請求項２乃至請求項６のいずれかに記載の２重化音響システム。
【請求項８】
前記第１制御手段は、前記通信回線を介して前記第２制御手段を制御する機能を有することを特徴とする請求項１乃至請求項７のいずれかに記載の２重化音響システム。
【請求項９】
前記第２制御手段の異常の有無を表示する手段を備えたことを特徴とする請求項１乃至請求項８のいずれかに記載の２重化音響システム。
【請求項１０】
前記第１制御手段と前記第２制御手段との間の前記通信回線を介する通信の時間間隔を可変調整するタイマ手段を備えたことを特徴とする請求項１乃至請求項９のいずれかに記載の２重化音響システム。
【発明の詳細な説明】
【０００１】
【発明の属する技術分野】
本発明は音楽公演や構内放送等で音響効果の調整を行う音響システムに係り、特に、２重化を図りシステムの信頼性を高めた２重化音響システムに関する。
【０００２】
【従来の技術】
図５は、従来の２重化音響システムの構成図である。図５に示す２重化音響システムは、音声入力部１から入力したアナログ信号による音声信号をデータ変換部２でデジタル信号に変換し、変換後のデジタル信号にメインプロセッサ３が音響処理を施し、処理後のデジタル信号をデータ逆変換部４でアナログ信号に逆変換し、音声出力部５から出力するようになっている。そして、音響調整卓（コンソール）６から入力された音響調整指令は、パーソナルコンピュータ（以下、ＰＣという）７でメインプロセッサ３用の音響処理指令データに変更され、アークネットの信号線８、９、１０を介し、データ変換部２、データ逆変換部４、メインプロセッサ３に伝送されるようになっている。
【０００３】
そして、この２重化音響システムは、メインプロセッサ３が故障し、音響調整卓６からメインプロセッサ３が調整することができなくなったときのために、サブプロセッサ１２を設け、メインプロセッサ３とサブプロセッサ１２との間に制御切替部１３を設けている。制御切替部１３は、データ逆変換部４に接続される共通接点１３ａ、メインプロセッサ３に接続される切替接点１３ｂ、サブプロセッサ１２に接続される切替接点１３ｃを備えている。更に、データ変換部２の出力信号は、並列にメインプロセッサ３とサブプロセッサ１２とに入力され、メインプロセッサ３の出力信号とサブプロセッサ１２の出力信号とが加算され、データ逆変換部４に入力されるようになっている。
【０００４】
次に、従来の２重化音響システムの動作について説明する。２重化音響システムは、メインプロセッサ３が故障していないときは、制御切替部１３の共通接点１３ａが切替接点１３ｂに接続されており、音響調整卓６からＰＣ７を経由してプロセッサに出力した音響処理指令データは、信号線８、データ変換部２、信号線９、データ逆変換部４、信号線１０ａ、制御切替部１３、信号線１０ｂを通ってメインプロセッサ３に与えられる。メインプロセッサ３で音響処理された音声信号は、メインプロセッサ３からデータ逆変換部４、音声出力部５と出力される。このとき、サブプロセッサ１２は、ＰＣ７からの音響処理指令データを受信していないため、データ変換部２からサブプロセッサ１２に入力された入力信号は出力されない。
【０００５】
ここで、メインプロセッサ１１が故障したとき、制御切替部１３が手動で切り換えられる。これにより、音響調整卓６からの調整指令がＰＣ７を経由して、信号線８、データ変換部２、信号線９、データ逆変換部４、信号線１０ａ、制御切替部１３、信号線１０ｃを通ってサブプロセッサ１２に伝送される。サブプロセッサ１２から音響処理された音声信号がデータ逆変換部４に出力され、音響調整卓６で行う音響処理を継続することが可能となる。
【０００６】
【発明が解決しようとする課題】
上述した２重化システムでは、メインプロセッサ１１が故障したとき、サブプロセッサ１２で音響処理を行うことが可能となる。しかし、メインプロセッサ１１からサブプロセッサ１２に制御が切り替わった瞬間に、音声出力状態が変化するという問題がある。
【０００７】
例えば、背景音楽のボリュームを小さくしアナウンス音声を大きくする音響処理指令データがメインプロセッサに与えられ、その背景音楽とアナウンス音声とが音声出力部５から出力されていたときに制御の切換が起こると、サブプロセッサ１２には事前にこの音響処理指令が与えられていないため、制御切換の瞬間、メインプロセッサの設定状態とは無関係な状態となり、聴衆に違和感や不快感を与えてしまう。
【０００８】
このような問題は、ＰＣ７から出力される音響処理指令データを、制御の切換以前からサブプロセッサ１２にも与えておけば発生しない。しかし、ＰＣ７上で動作している音響処理指令データの生成用プログラムにバグ等がありメインプロセッサ１１がその音響処理指令データに起因して故障した場合には、サブプロセッサ１２も同時に故障してしまい、プロセッサを２重化したにも関わらずシステムの信頼性が向上しないという問題が生じてしまう。
【０００９】
本発明の目的は、メインプロセッサからサブプロセッサに制御が切り替わっても連続した音声出力が可能で、しかも、システムの信頼性を向上させることができる２重化音響システムを提供することにある。
【００１０】
【課題を解決するための手段】
上記目的を達成する２重化音響システムは、入力された音声信号に対して音響処理を施す第１プロセッサと、前記音声信号に対して音響処理を施す第２プロセッサと、前記第１プロセッサに音響処理のデータ設定指令を出力する第１制御手段と、前記第１制御手段と通信回線を介して接続され前記第１制御手段による音響処理に関する情報を取得し前記第２プロセッサに音響処理のデータ設定指令を出力する第２制御手段と、前記第１プロセッサの出力または前記第２プロセッサの出力を選択し音響処理された音声信号を出力するスイッチ手段とを備えたことを特徴とする。
【００１１】
この構成により、２つのプロセッサに同じ音響処理用のデータが設定されるため、プロセッサが切り替わっても音声出力状態が変化するということが防止される。更に、プロセッサの２重化に加えて制御手段も２重化したため、２つのプロセッサが同時にダウンする確率が減少し、システムの信頼性が向上する。
【００１２】
好適には、前記第１プロセッサと前記第１制御手段との間の接続および前記第２プロセッサと前記第２制御手段との間の接続を、前記第１プロセッサと前記第２制御手段との間の接続および前記第２プロセッサと前記第１制御手段との間の接続に切り替える切替手段を備えたことを特徴とする。
【００１３】
この構成により、第１制御手段がデータ設定指令を出力する先のプロセッサを常にメインプロセッサとし、第２制御手段が常にサブプロセッサのデータ設定を行う様に構成可能となる。
【００１４】
更に好適には、前記切替手段に対して切替指令を出力する手動スイッチを設けたことを特徴とする。この構成により、オペレータの判断によってプロセッサの切り替えが可能となる。
【００１５】
更に好適には、前記第１プロセッサは電源オフになったとき前記切替手段に対して切替指令を出力する手段を備えたことを特徴とする。この構成により、第１プロセッサが働かず音声出力が停止する状態を回避できる。
【００１６】
更に好適には、前記切替手段は、接続切替が発生したとき前記第１制御手段に接続切替を通知する手段を備えたことを特徴とする。これにより、第１制御手段は、自身が制御対象としているプロセッサがどのプロセッサであるかを容易に知ることができる。
【００１７】
更に好適には、前記切替手段による接続切替を行うとき、前記第１制御手段が出力している最新の前記データ設定指令を前記第２制御手段が前記通信回線を介して取得し出力し、前記第１プロセッサのデータ設定と前記第２プロセッサのデータ設定とを同一にした後に前記接続切替を行わせる手段を備えたことを特徴とする。この構成により、音声出力を行うプロセッサが切り替わったときの音声出力状態に関してメイン系、サブ系データをほぼ同等とし、聴衆への違和感や不快感を防止することができる。
【００１８】
更に好適には、前記第１制御手段は、前記データ設定指令を出力している先が前記第１プロセッサなのか前記第２プロセッサなのかを表示するモニタを備えたことを特徴とする。この構成により、オペレータはどのプロセッサがメインプロセッサになっているかを容易に知ることが可能となる。
【００１９】
更に好適には、前記第１制御手段は、前記通信回線を介して前記第２制御手段を制御する機能を有することを特徴とする。この構成により、第１制御手段のモニタが故障した場合に代わりに第２制御手段のモニタを使用することができる。
【００２０】
更に好適には、前記第２制御手段の異常の有無を表示する手段を備えたことを特徴とする。この構成により、オペレータがプロセッサの切り替えを行おうとしたとき第２制御手段が故障であれば、切り替えを中止することができる。
【００２１】
更に好適には、前記第１制御手段と前記第２制御手段との間の前記通信回線を介する通信の時間間隔を可変調整するタイマ手段を備えたことを特徴とする。通信時間間隔を長くすれば、第１プロセッサのデータ設定と第２プロセッサのデータ設定との間の誤差は大きくなるが２つのプロセッサが同時にダウンする確率が減り、通信時間間隔を短くすれば両プロセッサに設定されている音響処理用のデータ設定間の誤差が小さくなり、リアルタイム性が向上する。
【００２２】
【発明の実施の形態】
以下、本発明の一実施形態について、図面を参照して説明する。
【００２３】
図１は、本発明の一実施形態に係る２重化音響システムの構成図である。本実施形態の２重化音響システムの音声信号入出力系は、音声入力部２０と、この音声入力部２０に接続されたデータ変換部２１と、データ変換部２１の出力を並列に取り込む２重化された第１プロセッサ２２及び第２プロセッサ２３と、各プロセッサ２２、２３の出力が接続されたデジタルスイッチャ２４と、デジタルスイッチャ２４の出力信号を取り込むデータ逆変換部２５と、データ逆変換部２５の出力に接続された音声出力部２６とで構成される。
【００２４】
音声入力部２０から入力された音声信号（音声に限らず音の信号一般をいうものとする。）は、データ変換部２１でデータ変換され、第１プロセッサ２２及び第２プロセッサ２３で音響処理が施され、デジタルスイッチャ２４を通ってデータ逆変換部２５でデータ逆変換され、音声出力部２６から出力される。
【００２５】
データ変換部２１は、例えば入力されてくるアナログ音声信号をデジタル音声信号に変換し、データ逆変換部２５は、プロセッサ２２、２３から出力されるデジタル音声信号をアナログ音声信号に逆変換するが、アナログ信号とデジタル信号の変換処理に限る訳ではなく、音声入力部２１からデータ変換部２１に出力される信号がある規格に基づくデジタル信号である場合には、このデジタル信号をプロセッサ２２、２３が処理できる形式の他の規格のデジタル信号に変換処理し、逆変換処理するものでもよい。
【００２６】
デジタルスイッチャ２４は、例えば６４チャネル構成となっており、♯１〜♯３２ｃｈが第１プロセッサ２２の出力に接続され、♯３３〜♯６４ｃｈが第２プロセッサ２３の出力に接続され、デジタルスイッチャ２４にパターンＡ指令が入力されたとき♯１〜♯３２ｃｈの入力を後段のデータ逆変換部２５に接続し、パターンＢ指令が入力されたとき♯３３〜♯６４ｃｈの入力を後段のデータ逆変換部２５に接続する様になっている。
【００２７】
上述した音声信号入出力系を制御し、入力された音声信号に音響効果を与える制御を行う本実施形態に係る２重化音響システムの制御系は、音響調整卓（コンソール）３０と、この音響調整卓３０に接続されたメインの制御手段、この例ではメインＰＣ３１と、メインＰＣ３１と通信回線、例えばイーサネット３２で接続されたサブの制御手段、この例ではサブＰＣ３３と、切替スイッチ部３４と、ネット切替部３５とを備える。ネット切替部３５は、入力端子３５ａ、３５ｂと、出力端子３５ｃ、３５ｄを備え、図２（ａ）（ｂ）に示す様に、各端子間の接続切替が後述するようにして行われる。
【００２８】
メインＰＣ３１から出力される音響処理指令データは、アークネットの信号線４０を通してデータ変換部２１に伝送され、次に信号線４１を通してデータ変換部２１からデータ逆変換部２５に伝送され、次に、信号線４２を通してデータ逆変換部２５からネット接続部３５の入力端子３５ａに伝送される。
【００２９】
ネット接続部３５の他方の入力端子３５ｂには、サブＰＣ３３から出力される音響処理指令データがアークネットの信号線４３を介して接続され、ネット接続部３５の一方の出力端子３５ｃはアークネットの信号線４４で第１プロセッサ２２に接続され、他方の出力端子３５ｄはアークネットの信号線４５で第２プロセッサ２３に接続されている。
【００３０】
ネット切替部３５は、第１プロセッサ２２と信号線４６を介して接続され、この信号線４６によって第１プロセッサ２２が電源断（パワーオフ）したことを通知する信号がネット切替部３５に入力されたとき、端子間の接続が後述するように切り替えられる。また、ネット切替部３５は、切替スイッチ部３４に接続され、切替スイッチ部３４からの切替指令が入力されたときも、端子間の接続が切り替えられる。
【００３１】
更に、ネット切替部３５とメインＰＣ３１とは信号線４７で接続され、ネット切替部３５の端子接続が切り替わったときその旨がメインＰＣ３１に通知され、また、ネット切替部３５とデジタルスイッチャ２４とは信号線４８で接続され、端子接続の切り換えに応じて前述したパターンＡ指令あるいはパターンＢ指令がデジタルスイッチャ２４に出力される。
【００３２】
切替スイッチ部３４は、手動で操作されたときネット切替部３５に前記切替指令を出力する切替スイッチ３４ａと、サブＰＣ３３に接続されサブＰＣ３３に異常が生じたときその旨を表示するサブＰＣ異常表示器３４ｂとを備える。
【００３３】
上述した構成の本実施形態に係る２重化音響システムでは、通常時（第１プロセッサ２２の非故障時）には第１プロセッサ２２がメインプロセッサとして動作しており、このとき、ネット切替部３５の端子間接続は、図２（ａ）に示す状態になっている。
【００３４】
音響調整卓３０に入力された音響調整指令を受けたメインＰＣ３１は、この音響調整指令を処理し、データ変換部２１、プロセッサ２２、２３、データ逆変換部２５を制御可能な音響処理指令データにし、信号線４０に出力する。この音響処理指令データは、信号線４１、信号線４２、信号線４４を通り、第１プロセッサ２２に伝送され、第１プロセッサ２２はこの音響処理指令データに基づいて各種の音響処理を音声信号に対して施す。また、このとき、デジタルスイッチャ２４にはネット切替部３５からパターンＡ指令が与えられており、デジタルスイッチャ２４は、第１プロセッサ２２の出力をデータ逆変換部２５に出力している。
【００３５】
メインＰＣ３１とサブＰＣ３３とは、リアルタイムあるいは所定時間間隔でイーサネット３２を介して通信を行っており、メインＰＣ３１は、コンソール３０から受け取った音響調整指令をサブＰＣ３３に伝送し、サブＰＣ３３は、受け取った音響調整指令から独自に音響処理指令データを生成し、この音響処理指令データを、信号線４３、ネット切替部３５、信号線４５を通し、第２プロセッサ２３に出力している。このため、第２プロセッサ２３は、コンソール３０から入力された音響調整指令に基づいた各データ設定がされる。
【００３６】
尚、サブＰＣ３３が独自に音響処理指令データを生成するのではなく、メインＰＣ３１から音響処理指令データをサブＰＣ３３に送る構成としてもよい。しかし、メインＰＣ３１で動作させる音響処理指令データ生成用のプログラムと、サブＰＣ３３で動作させる音響処理指令データ生成用のプログラムを異なるプログラムとした方が、メインプロセッサとサブプロセッサが同時にダウンする確率を減らすことができるので、好ましい。
【００３７】
サブＰＣ３３が、メインＰＣ３１と全く同じ音響処理指令データをサブプロセッサに出力する構成であれば、イーサネット３２を介して行う通信の上記リアルタイム性や所定時間間隔を調整するタイマを設け、このタイマで通信の時間間隔を調整できるようにするのが好ましい。
【００３８】
このタイマでタイムラグを長くすると、メインプロセッサとサブプロセッサが同時にダウンする確率を減らすことができ、タイムラグを短くすることで、メインプロセッサとサブプロセッサに夫々設定される音響処理指令データを一致させるリアルタイム性が向上するため、システムに合わせてオペレータの選択自由度が増すためである。
【００３９】
第１プロセッサ２２をメインプロセッサとして音響システムを動作させている最中に第１プロセッサ２２が故障した場合には、音声出力が遮断されることはないが、音響調整を受け付けなくなり、第１プロセッサ２２の音響処理状態は故障直前の音響処理状態のままとなる。オペレータが現在の状態から別の音響調整を行いたい場合には、切替スイッチ部３４の切替スイッチ３４ａを手動にて切替操作する。この切替操作により、ネット接続部３５の端子間接続は、図２（ｂ）に示す状態に切り替わる。
【００４０】
オペレータが切替スイッチ３４ａを操作するとき、仮にサブＰＣ３３が故障していた場合には、即ち、サブプロセッサ２３に設定されている音響処理指令データがメインプロセッサ２２に設定されている音響処理指令データと異なる場合には、表示器３４ｂが点灯しているため、オペレータは切替スイッチ３４ａの切替操作を中止することができる。
【００４１】
メインプロセッサ２２が動作中にその電源が落ちると、プロセッサ２２からの音声出力が遮断されて無音状態になってしまう。このため、パワーオフ信号がメインプロセッサ２２からネット切替部３５に出力されると、ネット切替部３５は、自動的且つ強制的に端子間接続を図２（ｂ）に示す状態に切り替える。
【００４２】
ネット切替部３５の端子間接続が図２（ｂ）の状態に切り替わると、デジタルスイッチャ２４にネット切替部３５からパターンＢ指令が出力され、デジタルスイッチャ２４は、第２プロセッサ２３で音響処理された音声信号を選択してデータ逆変換部２５に出力し、音声出力部２６からは第２プロセッサ２３で音響処理された音声信号が出力される。この制御切替の瞬間の前後において、第１プロセッサ２２と第２プロセッサ２３の夫々の音響処理指令データは同じ為、音声出力状態に関してメイン系、サブ系データをほぼ同等とし、聴衆への違和感や不快感を防止することができる。
【００４３】
また、メインＰＣ３１から信号線４０に出力される音響信号指令データは、データ変換部２１から信号線４１を介してデータ逆変換部２５に伝送され、データ逆変換部２５から、信号線４２、信号線４５を介して第２プロセッサ２３に伝送され、メインＰＣ３１は、今度は第２プロセッサ２３をメインプロセッサとして制御することになる。そして、メインＰＣ３１は、ネット切替部３５から信号線４７を介して送られてきた通知により、メインプロセッサが第２プロセッサ２３に切り替わったことを知ることができる。
【００４４】
第１プロセッサ２２が故障し、上記の様にネット切替部３５が切り替わった後も、メインＰＣ３１とサブＰＣ３３とはイーサネット３２を介して通信を行っており、サブＰＣ３３から出力される音響処理指令データは、新たにサブプロセッサになった第１プロセッサ２２に伝送される。このため、故障した第１プロセッサ２２が交換された場合には、新しい第１プロセッサ２２に第２プロセッサ２３と同じ音響調整指令に基づくデータが設定されることになり、ここでオペレータが切替スイッチ３４ａを操作すると、ネット切替部３５は、図２（ａ）に示す状態に切り替わる。
【００４５】
これにより、前述とは逆に、第１プロセッサ２２がメインプロセッサになると共に第２プロセッサ２３がサブプロセッサとなり、メインＰＣ３１はメインプロセッサに音響処理指令データを設定し、サブＰＣ３３はサブプロセッサに音響処理指令データを設定することになる。この切替前後においても、音声出力状態が変化するということが防止される。
【００４６】
上述したネット接続部３５における端子間接続、すなわちメインプロセッサとサブプロセッサとの切替が発生したことは、ネット接続部３５からメインＰＣ３１が通知を受けるため、メインＰＣ３１はこの情報をモニタに表示し、また、そのログ情報をハードディスク等に残すようにする。また、仮にメインＰＣ３１のモニタが故障した場合には、メインＰＣ３１がイーサネット３２を介してサブＰＣ３３を制御できるため、メインＰＣ３１のモニタに表示すべきデータをサブＰＣ３３の付属モニタに表示する。このように、メインＰＣ３１でサブＰＣ３３を制御できるようにすることで、システムの信頼性が更に向上する。
【００４７】
上述した説明では、メインプロセッサが故障したとき、そのままサブプロセッサをメインプロセッサに切り換えたが、前述したタイマによるタイムラグが長い場合には、両プロセッサ間の音響処理指令データ間の誤差が大きい場合も考えられる。このため、サブプロセッサをメインプロセッサに切り換える前に、メインプロセッサに設定されている音響処理指令データをイーサネット３２を介してサブＰＣ３３に送り、最新の音響処理指令データをサブプロセッサに設定して前記誤差を無くしてから、プロセッサの切り換えを行う様にしてもよい。
【００４８】
図３は、上述したメインプロセッサの故障時の処理手順を示すフローチャートである。メインプロセッサが故障した（ステップＳ１）場合、オペレータは、メインプロセッサをサブプロセッサに切り換えると共にサブプロセッサをメインプロセッサに切り換えるべく切替スイッチ３４ａを押下する（ステップＳ２）。この切替操作指令は、ネット切替部３５で受信される（ステップＳ３）。あるいは、メインプロセッサの電源が故障する事象が発生する（ステップＳ４）と、ステップＳ４からステップＳ３に進み、ネット切替部３５はメインプロセッサからパワーオフ信号を受信する。
【００４９】
これにより、メインＰＣ３１からの制御指令（音響処理指令データ）がサブプロセッサ（新たなメインプロセッサ）に出力され（ステップＳ５）、同時にサブＰＣ３３からの制御指令（音響処理指令データ）がメインプロセッサ（新たなサブプロセッサ）に出力され（ステップＳ６）、また同時に、デジタルスイッチャ２４が音声信号出力をメインプロセッサ（新たなサブプロセッサ）からサブプロセッサ（新たなメインプロセッサ）に切り換える（ステップＳ７）。
【００５０】
図４は、故障したプロセッサを交換した後の処理手順を示すフローチャートである。交換したプロセッサはサブプロセッサとなっており、このプロセッサをメインプロセッサにすべく、オペレータは切替スイッチ３４ａを押下する（ステップＳ１０）。このスイッチ押下の信号はネット切替部３５が受信して端子間接続を切り替える（ステップＳ１１）。
【００５１】
これにより、メインＰＣ３１からの制御指令（音響処理指令データ）は新たなメインプロセッサに出力され（ステップＳ１２）、同時にサブＰＣ３３からの制御指令（音響処理指令データ）は新たなサブプロセッサに出力され（ステップＳ１３）、また同時に、デジタルスイッチャ２４は音声信号出力を新たなメインプロセッサからの出力に切り換える（ステップＳ１４）。
【００５２】
以上述べた実施形態によれば、音響処理を行うプロセッサを２重化したことに加え、プロセッサに音響処理指令データを与えるＰＣも２重化したため、２つのプロセッサが同時にダウンする確率が大幅に減り、システムの信頼性が向上すると共に、プロセッサ切替時の出力音声の不連続も回避できる。
【００５３】
【発明の効果】
本発明によれば、メイン系とサブ系の切替時に音声出力状態が変化するということが防止され、しかも、システムの信頼性が高い２重化音響システムを提供することができる。
【図面の簡単な説明】
【図１】本発明の一実施形態に係る２重化音響システムの構成図
【図２】本発明の一実施形態に係る２重化音響システムを構成するネット切替部の接続状態図
【図３】本発明の一実施形態に係る２重化音響システムでのプロセッサ切替処理手順を示すフローチャート
【図４】本発明の一実施形態に係る２重化音響システムで故障プロセッサ交換後に行うプロセッサ切替処理手順を示すフローチャート
【図５】従来の２重化音響システムの構成図
【符号の説明】
２０  音声入力部
２１  データ変換部
２２  第１プロセッサ
２３  第２プロセッサ
２４  デジタルスイッチャ
２５  データ逆変換部
２６  音声出力部
３０  コンソール（音響調整卓）
３１  メインＰＣ
３２  イーサネット
３３  サブＰＣ
３４  切替スイッチ部
３５  ネット切替部
４０、４１、４２、４３、４４、４５  アークネットの信号線
【図１】
0003866094.tif 000002
【図２】
0003866094.tif 000003
【図３】
0003866094.tif 000004
【図４】
0003866094.tif 000005
【図５】
0003866094.tif 000006